(57)【要約】【課題】  記録装置から離れていても記録装置から発せられる音楽等の内容により記録進行状況や紙詰まり等のエラーをユーザが詳細に把握することができる記録装置を提供する。【解決手段】  データ制御部１５１は、記録実行状態又はエラー発生状態と再生するデジタル音声ファイルとを対応付ける「音声再生リスト」を、ユーザインタフェース手段３８を介してユーザが予め設定した「音声再生条件」に基づいて作成して記憶する。記録実行時又はエラー発生時には、その「音声再生リスト」に基づいて、再生すべきデジタル音声ファイルが特定され、再生対象となったデジタル音声ファイルは、音声制御部１５４でデコード及びＤＡ変換処理され、アンプ部３９で増幅された後、スピーカＳＰで再生される。【選択図】図４
2007144941.tif 000002
【特許請求の範囲】
【請求項１】
デジタル画像データに基づいて被記録材の記録面への記録を実行可能な記録装置であって、
被記録材への記録制御を実行する記録制御手段と、デジタル音声ファイルを記憶して保持するためのデジタル音声ファイル記憶装置と、デジタル音声ファイルを復号してデジタル音声信号を取得するデジタル音声ファイル復号手段と、デジタル音声信号をアナログ音声信号に変換する音声信号変換手段と、アナログ音声信号を増幅して音声に変換する拡声装置とを備え、
前記記録制御手段は、記録実行状態又はエラー発生状態に応じて、予め記録実行状態又はエラー発生状態ごとに指定されているデジタル音声ファイルから音声を再生する、ことを特徴とした記録装置。
【請求項２】
請求項１において、記録実行状態又はエラー発生状態に応じてデジタル音声ファイルを再生する音声再生条件を、予め記録実行状態又はエラー発生状態ごとにユーザが任意に設定できるユーザインタフェース手段を備え、
前記記録制御手段は、記録実行状態又はエラー発生状態と再生するデジタル音声ファイルとを対応付ける音声再生リストを、前記ユーザインタフェース手段を介してユーザが設定した前記音声再生条件に基づいて作成し、記録実行時又はエラー発生時には前記音声再生リストに基づいてデジタル音声ファイルを再生する、ことを特徴とした記録装置。
【請求項３】
請求項２において、前記記録制御手段は、前記ユーザインタフェース手段を介してユーザが前記音声再生リストを任意に作成することが可能な構成を有している、ことを特徴とした記録装置。
【請求項４】
請求項１〜３のいずれか１項において、前記記録制御手段は、記録実行状態又はエラー発生状態とは無関係に、ユーザが任意に選択したデジタル音声ファイルを再生することが可能な音声鑑賞モードを有している、ことを特徴とした記録装置。
【請求項５】
請求項１〜４のいずれか１項において、外部からデジタル音声ファイルを入力して、再生又は前記デジタル音声ファイル記憶装置で記憶媒体に記憶することが可能なデジタル音声ファイル入力手段を備えている、ことを特徴とした記録装置。
【発明の詳細な説明】
【技術分野】
【０００１】
本発明は、デジタル画像データに基づいて被記録材の記録面への記録を実行可能な記録装置に関する。
【背景技術】
【０００２】
デジタル画像データに基づいて被記録材の記録面への記録を実行可能なインクジェットプリンタ等の記録装置は、従来離れて見えない場所に居る場合には、ユーザは記録実行状態をほとんど把握することができなかった。つまり、多数のデジタル画像プリントを実行すべく記録ＪＯＢを設定・登録して記録を実行している間、その記録ＪＯＢの進行状況をほとんど把握することができなかった。そのため、多数のデジタル画像データの記録を実行している間、離れて見えない場所に居るユーザが、適当な時間を見計らってそろそろ全ての記録が終了したであろう頃にプリンタの側へ戻ってみたが、まだ記録実行中であったり、インク切れや紙詰まり等で記録動作が中断されたまま停止していたり、といったことが起こり得る。そのような事態を回避するには、結局のところ全ての記録が終了したか否かをある程度の時間間隔でプリンタの側までいちいち見に行って、記録進行状況や紙詰まり等のエラーが生じていないかを何度も確認しなければならず煩わしく不便であった。
【０００３】
他方、一般的なインクジェットプリンタ等の記録装置は、記録実行中の間モータ音や機械的動作音が発生するため、常にプリンタの近くにユーザがいなければならないとすると、ユーザは、耳障りで無機質なモータ音及び機械音を延々と聞き続けなければならないことになる。つまり、ユーザは、プリンタから離れた場所に居れば、全ての記録が終了したか否かをある程度の時間間隔でプリンタの側までいちいち見に行って、記録進行状況や紙詰まり等のエラーが生じていないかを何度も確認しなければならず不便であり、かと言ってプリンタの近くに居れば、全ての記録が終了するまでの間、ユーザはその場所に拘束されるとともに耳障りなモータ音や機械的動作音を延々と聞き続けなければならず、やはり不便である。
【０００４】
このような課題を解決することを目的とした従来技術の一例としては、いわゆる回転式オルゴールを内蔵したプリンタが公知である（例えば、特許文献１を参照）。この従来技術によれば、印刷動作のために回転するモータの回転駆動力を利用して回転式オルゴールのオルゴールシリンダが回転して音楽が奏でられる構成を有しているので、印刷が終了又は中断されてプリンタ動作が停止すれば音楽が停止するから、ユーザが印字終了やエラーによる記録中断に気付くことができる。また、モータ音や機械的動作音に代えて回転式オルゴールにより音楽が奏でられるので、ユーザは、印刷中にプリンタの近くにいても耳障りなモータ音や機械的動作音を延々と聞き続けなくて済む。
【０００５】
【特許文献１】特開平９−３９３４４号公報
【発明の開示】
【発明が解決しようとする課題】
【０００６】
しかしながら、上記従来技術においては、複数の回転式オルゴール機構を搭載しない限り、常に同じ曲を来る日も来る日も延々と聴き続けることになりユーザは飽きてしまう。また、記録実行中に奏でられる曲を変更したい場合には、異なる曲のオルゴールシリンダを別途購入して交換しなければならず、コストも手間もかかり面倒で非現実的である。さらに、回転式オルゴール音が停止した状態が、正常に全ての記録が終了して停止しているのか、記録途中でインク切れや紙詰まり等のエラーが生じて記録が中断されて停止している状態なのかは、実際にプリンタの近くに行って見てみないと判別できないため利便性の面で課題が残る。そして、高音質でありながら低価格なデジタル音楽再生機器が広く普及しつつある近年においては、単一音源の回転式オルゴール音を奏でるプリンタは、どちらかと言えば懐古趣味的なアンティーク的色合いが強く、プリンタの高級感が損なわれる虞があり、先進的な電子機器である近年のプリンタにはそぐわない感が否めない。
【０００７】
本発明は、このような状況に鑑み成されたものであり、その課題は、記録装置から離れていても記録装置から発せられる音楽等の内容により記録進行状況や紙詰まり等のエラーをユーザが詳細に把握することができる記録装置を提供することにある。
【課題を解決するための手段】
【０００８】
上記課題を達成するため、本発明の第１の態様は、デジタル画像データに基づいて被記録材の記録面への記録を実行可能な記録装置であって、被記録材への記録制御を実行する記録制御手段と、デジタル音声ファイルを記憶して保持するためのデジタル音声ファイル記憶装置と、デジタル音声ファイルを復号してデジタル音声信号を取得するデジタル音声ファイル復号手段と、デジタル音声信号をアナログ音声信号に変換する音声信号変換手段と、アナログ音声信号を増幅して音声に変換する拡声装置とを備え、前記記録制御手段は、記録実行状態又はエラー発生状態に応じて、予め記録実行状態又はエラー発生状態ごとに指定されているデジタル音声ファイルから音声を再生する、ことを特徴とした記録装置である。
【０００９】
このように、記録実行状態又はエラー発生状態に応じて、予め記録実行状態又はエラー発生状態ごとに指定されているデジタル音声ファイルから音声が再生されるので、ユーザは、記録装置が再生している音楽等を聴きながら、聴いている音楽等の内容から、設定・登録した多数の記録ＪＯＢの進行状況を詳細に把握することができる。そして、このデジタル音声ファイルの再生音量をある程度以上の音量に設定すれば、記録実行中に記録装置から生ずるモータ音や機械的動作音は、ほとんど聞こえないか聞こえても気にならない程度にすることができる。したがって、記録装置の近くにユーザが居たとしても、ユーザは、耳障りなモータ音や機械的動作音を聞かずに済む。
【００１０】
また、記録実行中にインク切れや紙詰まり等のエラーが生じた場合には、その時点でそのエラーに対応した別のデジタル音声ファイルが再生されることになるので、ユーザは、エラー発生時点でエラーが発生したことのみならず、エラーの内容まで直ちに把握することができる。したがって、エラー発生による記録中断状態を長時間放置することなく迅速にエラーに対処して記録ＪＯＢを再開させることができる。
【００１１】
このように、本発明の第１の態様に記載の記録装置によれば、記録実行状態又はエラー発生状態に応じて、予め記録実行状態又はエラー発生状態ごとに指定されているデジタル音声ファイルから音楽等の音声が再生されるので、記録装置から離れていても記録装置から発せられる音楽等の内容により記録進行状況や紙詰まり等のエラーをユーザが詳細に把握することができるという作用効果が得られる。  
また、ユーザは、記録実行中に再生される音楽等を聴くことによって、耳障りなモータ音や機械的動作音を聞かずに済む。  
さらに、ユーザは、エラー発生時点でエラーが発生したことのみならず、エラーの内容まで直ちに把握できるので、発生したエラーに直ちに対処して記録ＪＯＢを再開させることができる。
【００１２】
本発明の第２の態様は、前述した第１の態様において、記録実行状態又はエラー発生状態に応じてデジタル音声ファイルを再生する音声再生条件を、予め記録実行状態又はエラー発生状態ごとにユーザが任意に設定できるユーザインタフェース手段を備え、前記記録制御手段は、記録実行状態又はエラー発生状態と再生するデジタル音声ファイルとを対応付ける音声再生リストを、前記ユーザインタフェース手段を介してユーザが設定した前記音声再生条件に基づいて作成し、記録実行時又はエラー発生時には前記音声再生リストに基づいてデジタル音声ファイルを再生する、ことを特徴とした記録装置である。  
このように、記録実行状態又はエラー発生状態に応じてデジタル音声ファイルを再生する際の音声再生条件を、予め記録実行状態又はエラー発生状態ごとにユーザが任意に設定することができ、その音声再生条件に基づいて音声再生リストが作成されるので、記録実行中やエラー発声時に再生される音楽等を、ユーザが好みの聴きたい音楽等に設定することができる。
【００１３】
本発明の第３の態様は、前述した第２の態様において、前記記録制御手段は、前記ユーザインタフェース手段を介してユーザが前記音声再生リストを任意に作成することが可能な構成を有している、ことを特徴とした記録装置である。  
このように、前述した第２の態様に記載の記録装置に加えて、記録制御手段は、さらに音声再生リストをユーザが任意に作成することができるようにしても良い。それによって、より自由度の高い音声再生パターンを実現できるので、より利便性を向上させることができる。
【００１４】
本発明の第４の態様は、前述した第１の態様〜第３の態様のいずれかにおいて、前記記録制御手段は、記録実行状態又はエラー発生状態とは無関係に、ユーザが任意に選択したデジタル音声ファイルを再生することが可能な音声鑑賞モードを有している、ことを特徴とした記録装置である。  
このように、記録実行状態又はエラー発生状態とは無関係に、デジタル音声ファイルを再生してユーザが聴きたい音楽等をいつでも聴くことができるので、記録装置をデジタル音楽再生機器として使用することもでき、より多機能な利便性の高い記録装置を実現することができる。
【００１５】
本発明の第５の態様は、前述した第１の態様〜第４の態様のいずれかにおいて、外部からデジタル音声ファイルを入力して、再生又は前記デジタル音声ファイル記憶装置で記憶媒体に記憶することが可能なデジタル音声ファイル入力手段を備えている、ことを特徴とした記録装置である。  
このように、外部からデジタル音声ファイルを入力することができる手段を備えているので、ユーザが任意に選択可能なデジタル音声ファイルを容易に追加することができる。
【発明を実施するための最良の形態】
【００１６】
以下、本発明の実施の形態を図面に基づいて説明する。  
まず、本発明に係る「記録装置」の一例としてのインクジェット式記録装置の概略構成について説明する。
【００１７】
図１は、本発明に係るインクジェット式記録装置の要部平面図であり、図２はその側面図である。図３は、本発明に係るインクジェット式記録装置の概略のブロック図である。  
インクジェット式記録装置５０には、「被記録材」としての記録紙Ｐにインクを噴射して記録を行う記録ヘッド６２を記録紙Ｐに対して主走査方向Ｘに走査させる手段として、記録紙Ｐに対して主走査方向Ｘへ移動可能にキャリッジガイド軸５１に軸支されたキャリッジ６１が設けられている。キャリッジ６１には、記録ヘッド６２と後述するＰＷセンサ３４とが搭載されており、ＣＲモータ６３（図３）の回転駆動力が図示していない無端ベルトによるベルト伝達機構によって伝達されて主走査方向Ｘに往復動する。記録ヘッド６２のヘッド面と対向する位置には、後述する「被記録材搬送手段」により搬送される記録紙Ｐを摺接支持しつつ記録紙Ｐの記録面と記録ヘッド６２のヘッド面との間隔を所定間隔に規定するプラテン５２が設けられている。
【００１８】
キャリッジ６１の主走査方向Ｘへの往復動領域の一端側の外側には、公知のキャッピング装置５９が設けられている。記録を実行しない待機状態においては、キャリッジ６１がキャッピング装置５９の上まで移動して停止し、キャッピング装置５９に配設されているキャップＣＰによって記録ヘッド６２のヘッド面が封止される。このキャリッジ６１の停止位置は、ホームポジションＨＰとして規定される。
【００１９】
また、インクジェット式記録装置５０には、記録ヘッド６２を記録紙Ｐに対して副走査方向Ｙに走査させる如く記録紙Ｐを副走査方向Ｙへ搬送可能な「被記録材搬送手段」として、記録紙Ｐを副走査方向Ｙに搬送する搬送駆動ローラ５３と搬送従動ローラ５４が設けられている。搬送駆動ローラ５３は、ＰＦモータ５８（図３）の回転駆動力が歯車伝達されて回転し、搬送駆動ローラ５３の回転により、記録紙Ｐは副走査方向Ｙに搬送される。搬送従動ローラ５４は、複数設けられており、それぞれ個々に搬送駆動ローラ５３に付勢され、記録紙Ｐが搬送駆動ローラ５３の回転により搬送される際に、記録紙Ｐに接しながら記録紙Ｐの搬送に従動して回転する。搬送駆動ローラ５３の外周面には、高摩擦抵抗を有する皮膜が施されている。搬送従動ローラ５４によって、搬送駆動ローラ５３の外周面に押しつけられた記録紙Ｐは、摩擦抵抗によって搬送駆動ローラ５３の外周面に密着し、搬送駆動ローラ５３の回転によって副走査方向に搬送される。
【００２０】
搬送駆動ローラ５３の副走査方向Ｙの上流側には、多数の記録紙Ｐを積重可能な「被記録材積重手段」としての給紙トレイ５７が配設されている。給紙トレイ５７は、例えば普通紙やフォト紙等の記録紙Ｐを給紙（給送）可能な構成となっている。給紙トレイ５７の近傍には、給紙トレイ５７に積重されている記録紙Ｐの最上位の記録紙Ｐを「被記録材搬送手段」へ自動給送する「自動給送手段」としてのＡＳＦ（オート・シート・フィーダ）が設けられている。ＡＳＦは、給紙トレイ５７に設けられた給紙ローラ５７ｂ及び図示してない分離パッドを有する公知の自動給紙機構である。給紙ローラ５７ｂは、給紙トレイ５７の一方側に配置されている。記録紙ガイド５７ａは、記録紙Ｐの幅に合わせて幅方向に摺動可能に給紙トレイ５７に設けられている。
【００２１】
そして、ＰＦモータ５８（図３）の回転駆動力が歯車伝達されて回転する給紙ローラ５７ｂの回転駆動力と、分離パッドの摩擦抵抗により、給紙トレイ５７に置かれた記録紙Ｐが給紙される。その際に、複数の記録紙Ｐが一度に給紙されることなく最上位の記録紙Ｐのみが正確に分離されて一枚ずつ自動給紙されるように構成されている。給紙ローラ５７ｂと搬送駆動ローラ５３との間には、公知の技術による紙検出器３３が配設されている。
【００２２】
一方、記録実行後の記録紙Ｐを排紙する手段として、排紙駆動ローラ５５と排紙従動ローラ５６とが設けられている。排紙駆動ローラ５５は、ＰＦモータ５８（図３）の回転駆動力が歯車伝達されて回転し、排紙駆動ローラ５５の回転により、記録実行後の記録紙Ｐは副走査方向Ｙに排紙される。排紙従動ローラ５６は、周囲に複数の歯を有し、各歯の先端が記録紙Ｐの記録面に点接触するように鋭角的に尖った歯付きローラになっている。  
そして、給紙ローラ５７ｂや搬送駆動ローラ５３及び排紙駆動ローラ５５を回転駆動するＰＦモータ５８（図３）、並びにキャリッジ６１を主走査方向Ｘに駆動するＣＲモータ６３（図３）は、後述する記録制御部１００により駆動制御される。また、記録ヘッド６２も同様に、記録制御部１００により駆動制御されて記録紙Ｐの表面にインクを噴射する。記録制御部１００は、キャリッジ６１を主走査方向Ｘへ往復動させながら記録ヘッド６２から記録紙Ｐへインクを噴射してドットを形成する動作と、記録紙Ｐを副走査方向Ｙへ所定の搬送量で搬送する動作とを交互に繰り返しながら記録紙Ｐへの記録制御を実行する。
【００２３】
引き続き図１〜図３を参照しながら「記録制御手段」としての記録制御部１００について説明する。  
記録制御部１００は、ＲＯＭ１０１、ＲＡＭ１０２、ＡＳＩＣ（特定用途向け集積回路）１０３、ＭＰＵ１０４、「不揮発性記憶媒体」としての不揮発性メモリ１０５、ＰＦモータドライバ１０６、ＣＲモータドライバ１０７及びヘッドドライバ１０８を備えている。ＭＰＵ１０４には、ＡＳＩＣ１０３を介して搬送駆動ローラ５３の回転量を検出する「回転量検出手段」としてのロータリエンコーダ３１、キャリッジ６１の移動量を検出する「キャリッジ移動量検出手段」としてのリニアエンコーダ３２、搬送される記録紙Ｐの先端及び後端を検出する紙検出器３３、主走査方向Ｘの記録紙Ｐの端部を検出するためのＰＷセンサ３４、及びインクジェット式記録装置５０の電源をＯＮ／ＯＦＦするための電源スイッチ３５の出力信号が入力される。
【００２４】
公知のロータリエンコーダ３１は、搬送駆動ローラ５３の回転に連動して回転するロータリスケール３１１と、ロータリスケール３１１の外周に沿って等間隔に形成されているスリットを検出するロータリスケールセンサ３１２とを有している（図２）。搬送駆動ローラ５３の回転に伴い変化するロータリスケールセンサ３１２の出力信号は、ＡＳＩＣ１０３を介してＭＰＵ１０４へ出力される。  
キャリッジ６１の移動方向及び移動量を特定可能な検出信号を出力する「キャリッジ移動検出手段」として公知のリニアエンコーダ３２は、キャリッジ６１の近傍に主走査方向Ｘと略平行に配置されたリニアスケール３２１と、リニアスケール３２１に等間隔に形成されているスリットを検出するキャリッジ６１に搭載されたリニアスケールセンサ３２２とを有している（図２）。キャリッジ６１の主走査方向Ｘの移動量に応じたパルスの周期が移動速度に伴い変化するリニアスケールセンサ３２２の出力信号は、ＡＳＩＣ１０３を介してＭＰＵ１０４へ出力される。
【００２５】
公知の紙検出器３３は、立位姿勢への自己復帰習性が付与され、かつ記録紙Ｐの搬送方向（副走査方向Ｙ）にのみ回動し得るよう記録紙Ｐの搬送経路内に突出する状態で枢支されたレバーを有し、このレバーの先端が記録紙Ｐに押されることでレバーが回動し、それによって記録紙Ｐが検出される構成を成す検出器である（図２）。紙検出器３３は、給紙ローラ５７ｂより給紙された記録紙Ｐの始端位置及び搬送中の記録紙Ｐの終端位置を検出し、その検出信号は、ＡＳＩＣ１０３を介してＭＰＵ１０４へ出力される。  
「被記録材検出手段」としてのＰＷセンサ３４は、キャリッジ６１の記録紙Ｐの記録面と対向する部分に、プラテン５２の記録紙摺接面の光反射率と記録紙Ｐの記録面の光反射率との差からプラテン５２上にある記録紙Ｐの端部を非接触で検出可能な構成を有し、その検出信号は、ＡＳＩＣ１０３を介してＭＰＵ１０４へ出力される。
【００２６】
記録制御部１００のシステムバスには、ＲＯＭ１０１、ＲＡＭ１０２、ＡＳＩＣ１０３、ＭＰＵ１０４及び不揮発性メモリ１０５が接続されている。ＭＰＵ１０４は、インクジェット式記録装置５０の記録制御を実行するための演算処理やその他必要な演算処理を行う。ＲＯＭ１０１には、ＭＰＵ１０４によるインクジェット式記録装置５０の制御に必要な記録制御プログラム（ファームウェア）等が格納されており、記録制御プログラムの処理に必要な各種データ等は不揮発性メモリ１０５に記憶されている。ＲＡＭ１０２は、ＭＰＵ１０４の作業領域や記録データ等の格納領域として用いられる。  
ＡＳＩＣ１０３は、ＤＣモータであるＰＦモータ５８及びＣＲモータ６３の速度制御、並びに記録ヘッド６２の駆動制御を行う為の制御回路を有している。ＭＰＵ１０４から送られてくる制御命令、ロータリエンコーダ３１の出力信号、及びリニアエンコーダ３２の出力信号に基づいて、ＰＦモータ５８及びＣＲモータ６３の速度制御を行う為の各種演算を行い、その演算結果に基づくモータ制御信号をＰＦモータドライバ１０６及びＣＲモータドライバ１０７へ送出する。また、ＭＰＵ１０４から送出される記録データ等に基づいて、記録ヘッド６２の制御信号を演算生成してヘッドドライバ１０８へ送出して記録ヘッド６２を駆動制御する。ＡＳＩＣ１０３は、「情報処理装置」としてのパーソナルコンピュータ３０１等との情報伝送を実現する「情報伝送手段」としてホストＩＦ１１２を有している。
【００２７】
図４は、記録制御部１００の要部の機能ブロック図である。  
本発明に係るインクジェット式記録装置５０は、デジタル音声ファイルを記憶して保持するための「デジタル音声ファイル記憶装置」としてのＨＤＤ（ハード・ディスク・ドライブ）ユニット３７と、外部からデジタル音声ファイルを入力して再生したりＨＤＤユニット３７のハードディスク（記憶媒体）に記憶したりすることが可能な「デジタル音声ファイル入力手段」としてのメモリカードスロット３６と、アナログ音声信号を増幅するアンプ部３９と、アンプ部３９が出力する増幅後のアナログ音声信号を音声に変換する「拡声装置」としてのスピーカＳＰとを備えている。
【００２８】
尚、「デジタル音声ファイル入力手段」及び「デジタル音声ファイル記憶装置」は、特にメモリカードスロット３６やＨＤＤ（ハード・ディスク・ドライブ）ユニット３７に限定されるものではなく、デジタル音声ファイルを記憶保持可能な不揮発性の記憶媒体であれば、どのような態様のものであっても良い。例えば、ＣＤ−ＲＷドライブユニットやＤＶＤ−Ｒドライブユニット等であっても良いし、インターネット等のネットワーク経由でデジタル音声ファイルを入力可能な手段をインクジェット式記録装置５０に設けても良い。
【００２９】
記録制御部１００は、機能ブロックとして、データ制御部１５１、記録実行手段制御部１５２、ファイルシステム１５３、音声制御部１５４及びＵＩ制御部１５５を有している。データ制御部１５１は、デジタル画像ファイルの画像展開処理や後述する「音声再生リスト」を作成・記憶する制御を実行する。記録実行手段制御部１５２は、圧縮デジタル画像ファイル等から画像展開処理されたデジタル画像データに基づいて、記録ヘッド６２、ＰＦモータ５８及びＣＲモータ６３等を制御し、前述したような記録紙Ｐへの記録制御を実行する。ファイルシステム１５３は、メモリカードスロット３６及びＨＤＤユニット３７とデータ制御部１５１との間でデジタル画像ファイル及びデジタル音声ファイルの入出力制御を実行する。
【００３０】
「デジタル音声ファイル復号手段」及び「音声信号変換手段」としての音声制御部１５４は、デジタル音声ファイルをデコード（復号）してデジタル音声信号を取得し、取得したデジタル音声信号をアナログ音声信号に変換するＤＡ（デジタル−アナログ）変換制御を実行する。ＵＩ（ユーザインタフェース）制御部１５５は、インクジェット式記録装置５０本体に設けられた「表示手段」としての液晶ディスプレイ３８１及び「操作入力手段」としての操作パネル３８２を有するユーザインタフェース手段３８の操作入力制御及び画面表示制御を実行する。
【００３１】
このような機能ブロックを有する記録制御部１００は、記録実行状態又はエラー発生状態に応じて、記録実行状態又はエラー発生状態ごとに対応するデジタル音声ファイルから音声を再生する。初期状態では、デフォルトでＨＤＤユニット３７に格納されている複数のデジタル音声ファイルの中から、デフォルトで設定された「音声再生リスト」に基づいて記録実行状態又はエラー発生状態に対応するデジタル音声ファイルが特定され、再生対象となったデジタル音声ファイルは、音声制御部１５４でデコード及びＤＡ変換処理され、アンプ部３９で増幅された後、スピーカＳＰで再生される。
【００３２】
また、ユーザインタフェース手段３８を介してユーザが予め任意に「音声再生条件」を設定しておけば、メモリカードスロット３６内のメモリカード又はＨＤＤユニット３７に記憶されている複数のデジタル音声ファイルの中から、ユーザが予め任意に設定した「音声再生条件」に基づいて記録実行状態又はエラー発生状態に対応するデジタル音声ファイルが特定されて再生されるようにすることができる。より具体的には、記録制御部１００のデータ制御部１５１は、記録実行状態又はエラー発生状態と再生するデジタル音声ファイルとを対応付ける「音声再生リスト」を、ユーザインタフェース手段３８を介してユーザが予め設定した「音声再生条件」に基づいて作成する。そして、記録実行時又はエラー発生時には、その「音声再生リスト」に基づいて、再生すべきデジタル音声ファイルが特定され、再生対象となったデジタル音声ファイルは、音声制御部１５４でデコード及びＤＡ変換処理され、アンプ部３９で増幅された後、スピーカＳＰで再生される。
【００３３】
図５は、記録実行中に再生される音声の「音声再生リスト」の一例を示したものである。  
例えば、メモリカードスロット３６内のメモリカードに記憶されている多数のデジタル画像ファイルの中から、ファイル名「ＤＳＣ＿０００８．ｊｐｇ」のデジタル画像を「２枚」、ファイル名「ＤＳＣ＿０１１５．ｊｐｇ」のデジタル画像を「３枚」、ファイル名「ＤＳＣ＿０１１８．ｊｐｇ」のデジタル画像を「１枚」及びファイル名「ＤＳＣ＿０１２６．ｊｐｇ」のデジタル画像を「１枚」、それぞれ記録紙Ｐへ記録する記録実行操作をユーザが行うと、ユーザが予め設定した「音声再生条件」に基づいて、図５に示したような「音声再生リスト」が作成される。この「音声再生リスト」は、予めユーザが液晶表示パネル３８１の表示を見ながら操作パネル３８２を操作することにより設定した「音声再生条件」に基づいて、図示の如く「記録画像ファイル指定」欄のデジタル画像ファイルごとに、記録実行枚数が「部数」の欄に、当該デジタル画像ファイルの記録実行中に再生するデジタル音声ファイルのファイル名が「再生音声ファイル指定」の欄に、それぞれ登録されて作成される。
【００３４】
この予めユーザが設定する「音声再生条件」は、例えば、再生するデジタル音声ファイルの選択の他、選択したデジタル音声ファイルが１枚目の記録紙Ｐへの記録から順番に割り当てられる設定ができるようにしても良いし、予め選択したデジタル音声ファイルがランダムに割り当てられる設定ができるようにしても良い。同じデジタル音声ファイルを複数枚記録する場合には、その全てに同じデジタル音声ファイルが割り当てられる設定若しくは１枚ずつ異なるデジタル音声ファイルが割り当てられる設定のいずれも可能としても良い。設定が面倒なユーザのために、メモリカード等のメディアに記録されているデジタル音声ファイルがそのまま割り当てられる設定ができるようにしても良い。
【００３５】
また、液晶ディスプレイ３８１及び操作パネル３８を介して、「音声再生リスト」をユーザが任意に作成することができるようにしても良く、それによって、より自由度の高い音声再生パターンを実現できるので、より利便性を向上させることができる。さらには、作成した「音声再生リスト」に名前をつけて保存できるようにして、その「音声再生リスト」に基づいて、同じ内容のデジタル画像記録及び音声再生を再度実行できるようにしても良いし、保存したリストをユーザが修正して新たなリストととして再保存できるようにしても良い。さらには、例えば、全ての記録がそろそろ完了する直前である状態を知りたい場合には、例えば、最後の１枚の記録時だけ異なるデジタル音声ファイルを指定したり、最後の１枚の記録時だけにデジタル音声ファイルを割り当てたり、といった設定ができるようにしても良い。
【００３６】
記録制御部１００は、「音声再生リスト」に基づいて、各デジタル画像ファイルのデジタル画像の記録を順番に実行するとともに各記録ＪＯＢに対応するデジタル音声ファイルを再生する。そして、全ての記録が終了した時点で、記録終了時に再生されるように設定されたデジタル音声ファイルを再生する。それを聴いたユーザは、紙詰まり等のエラーが生ずることなく全ての記録が正常に終了したことを、インクジェット式記録装置５０から離れた場所に居ても容易に把握することができる。
【００３７】
図６は、エラー発生時に再生される音声の「音声再生リスト」の一例を示したものである。  
当該「音声再生リスト」は、エラー発生時に再生するデジタル音声ファイルが、インクカートリッジのインク切れが生じた場合、給紙トレイ５７に積重された記録紙Ｐが途中でなくなり紙切れとなった場合、記録実行中に紙詰まりが生じた場合等、エラーの種別に対応して個々に割り当てられている。そして、記録実行中にインク切れや紙詰まり等のエラーが生じた場合、その時点で記録実行中に再生されていたデジタル音楽ファイルが停止し、それとは別のデジタル音声ファイルが再生されることになるので、ユーザは、エラー発生時点でエラーが発生したことのみならず、その音楽等の内容からエラーの内容まで直ちに把握することができる。したがって、インクジェット式記録装置５０から発せられる音楽等を聴くことが可能な範囲に居る限り、ユーザは、エラー発生による記録中断状態を長時間放置することなく迅速にエラーに対処して記録ＪＯＢを再開させることができる。
【００３８】
尚、例えばインクカートリッジのインク切れエラーについては、各色のインクが別個独立したインクカートリッジにそれぞれ充填された構成となっているインクジェット式記録装置５０においては、インク色ごとに異なるデジタル音楽ファイルが再生されるようにすると、より利便性が向上する。また、例えばエラー発生時の異常状態を連想させるような音楽等のデジタル音声ファイルを予め指定しておけば、その音楽等を耳にした瞬間にインクジェット式記録装置５０で記録実行中にエラーが発生したことをエラーの内容も含めてユーザが直感的に把握することができる。
【００３９】
このように、ユーザインタフェース手段３８を介して予めユーザが任意に「音声再生条件」を設定することができるので、記録実行中やエラー発生時に再生される音楽等を、ユーザが好みの聴きたい音楽等に設定することができる。そして、記録実行中は、ユーザが予め任意に設定した「音声再生条件」に基づいて、記録実行状態又はエラー発生状態に対応するデジタル音声ファイルから音声が再生されるので、ユーザは、好みの音楽等を聴きながら、かつ聴いている音楽等の内容から、設定・登録した多数の記録ＪＯＢの進行状況を詳細に把握することができる。
【００４０】
このデジタル音声ファイルの再生音量をある程度以上の音量に設定すれば、記録実行中にインクジェット式記録装置５０から生ずるモータ音や機械的動作音は、ほとんど聞こえないか聞こえても気にならない程度にすることができる。したがって、インクジェット式記録装置５０の近くにユーザが居たとしても、ユーザは、耳障りなモータ音や機械的動作音を聞かずに済む。さらに、好みの音楽等のデジタル音声ファイルを再生して聴きながら記録を実行することができるので、従来たいくつな待ち時間だった記録実行中の時間をユーザにとって楽しい時間とすることができるようになる。
【００４１】
以上説明したように、本発明に係るインクジェット式記録装置５０によれば、ユーザは、インクジェット式記録装置５０から離れていてもインクジェット式記録装置５０から発せられる音楽等の内容により記録進行状況や紙詰まり等のエラーを詳細に把握することができる。また、ユーザは、記録実行中に再生される音楽等を聴くことによって、耳障りなモータ音や機械的動作音を聞かずに済む。さらに、ユーザは、エラー発生時点でエラーが発生したことのみならず、エラーの内容まで直ちに把握できるので、発生したエラーに迅速に対処して記録ＪＯＢを再開させることが可能になる。
【００４２】
また、他の実施例としては、上記実施例に加えて、インクジェット式記録装置５０の動作モードの１つとして、記録実行状態又はエラー発生状態とは無関係に、ユーザが任意に選択したデジタル音声ファイルを任意に再生することが可能な音声鑑賞モードを選択できるように構成しても良い。記録実行状態又はエラー発生状態とは無関係に、デジタル音声ファイルを再生してユーザが聴きたい音楽等をいつでも好きなときに鑑賞することができる。すなわち、インクジェット式記録装置５０をデジタル音楽再生機器としても使用することができるので、より多機能な利便性の高いインクジェット式記録装置５０を実現することができる。
【００４３】
さらには、上記実施例において、インクジェット式記録装置５０にスピーカＳＰを２つ以上実装して、ステレオサウンドで音楽等が再生されるように構成しても良く、より高い音質の音楽等を聴くことが可能になる。ヘッドフォン端子やオーディオ出力端子をさらに装備しても良い。さらには、上記実施例に加えて、音声再生の音量をユーザが任意に調節できたり、記録実行時又はエラー発生時の音声再生をユーザが任意にＯＮ／ＯＦＦできたりするように構成すれば、より利便性を向上させることができ、より好ましい態様であると言える。
【００４４】
尚、本発明は上記実施例に限定されることなく、上述したインクジェット式記録装置の他、レーザプリンタ等の様々なプリンタ、複写機やファクシミリ等の記録装置においても実施可能であるとともに、特許請求の範囲に記載した発明の範囲内で、種々の変形が可能であり、それらも本発明の範囲内に含まれるものであることは言うまでもない。
【図面の簡単な説明】
【００４５】
【図１】本発明に係るインクジェット式記録装置の概略の平面図である。
【図２】本発明に係るインクジェット式記録装置の概略の側面図である。
【図３】本発明に係るインクジェット式記録装置の概略のブロック図である。
【図４】記録制御部の要部の機能ブロック図である。
【図５】記録実行中に再生される音声再生リストの一例を示したものである。
【図６】エラー発生時に再生される音声再生リストの一例を示したものである。
【符号の説明】
【００４６】
３４  ＰＷセンサ、３６  メモリカードスロット、３７  ＨＤＤユニット、３８  ユーザインタフェース手段、３９  アンプ部、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、５７  給紙トレイ、５７ｂ  給紙ローラ、５８  ＰＦモータ、５９  キャッピング装置、６１  キャリッジ、６２  記録ヘッド、６３  ＣＲモータ、１００  記録制御部、１０１  ＲＯＭ、１０２  ＲＡＭ、１０３  ＡＳＩＣ、１０４  ＭＰＵ、１０５  不揮発性メモリ、１０６  ＰＦモータドライバ、１０７  ＣＲモータドライバ、１０８  ヘッドドライバ、Ｐ  記録紙、ＳＰ  スピーカ、Ｘ  主走査方向、Ｙ  副走査方向
【図１】
2007144941.tif 000003
【図２】
2007144941.tif 000004
【図３】
2007144941.tif 000005
【図４】
2007144941.tif 000006
【図５】
2007144941.tif 000007
【図６】
2007144941.tif 000008